(57)【要約】【課題】一つのハードディスク内に通常のハードディスク領域と仮想ディスク領域の混在するシステムを作成し、多様な入力映像フォーマットに対応可能な映像記録装置を提供する。【解決手段】映像信号を記録するハードディスク３を持つ映像記録装置において、ＨＤＤファイルシステム１１及び仮想ディスクファイルシステム２１を備え、ＨＤＤ論理セクタ及び仮想ディスク論理セクタをそれぞれ設定１２、２２し、ＨＤＤ論理セクタ及びＨＤＤ論理セクタへ変換２３した仮想ディスク論理セクタをＨＤＤ物理セクタへ変換１４してハードディスク３にそれぞれアクセスし、通常ＨＤＤ領域と仮想ディスク領域とを混在したハードディスクの構築を可能とする。【選択図】      図１
2004320349.tif 000002
【特許請求の範囲】
【請求項１】
映像信号を記録するハードディスクを持つ映像記録装置において、
ＨＤＤファイルシステム及び仮想ディスクファイルシステムを備え、ＨＤＤ論理セクタ及び仮想ディスク論理セクタをそれぞれ設定し、前記ＨＤＤ論理セクタ及びＨＤＤ論理セクタへ変換した前記仮想ディスク論理セクタをＨＤＤ物理セクタへ変換して前記ハードディスクにそれぞれアクセスし、通常ＨＤＤ領域と仮想ディスク領域とを混在したハードディスクの構築を可能とすることを特徴とする映像記録装置。
【請求項２】
映像信号を記録するハードディスクを持つ映像記録装置において、
ＨＤＤファイルシステム及び仮想ディスクファイルシステムを備え、ＨＤＤ論理セクタ及び仮想ディスク論理セクタをそれぞれ設定し、前記ＨＤＤ論理セクタをＨＤＤ物理セクタへ変換してハードディスクの通常ＨＤＤ領域にアクセスし、前記仮想ディスク論理セクタをＨＤＤ物理セクタへ変換してハードディスクの仮想ディスク領域にアクセスし、ハードディスクの通常ＨＤＤ領域及び仮想ディスク領域への両アクセスを調停して、通常ＨＤＤ領域と仮想ディスク領域とを混在したハードディスクの構築を可能とすることを特徴とする映像記録装置。
【請求項３】
バッファを有する請求項２記載の映像記録装置。
【請求項４】
映像信号を記録するハードディスクを持つ映像記録装置において、
ＨＤＤファイルシステム及び仮想ディスクファイルシステムと第一及び第二のコントローラーとを備え、ＨＤＤ論理セクタ及び仮想ディスク論理セクタをそれぞれ設定し、前記ＨＤＤ論理セクタをＨＤＤ物理セクタへ変換して第一のＨＤＤコントローラーによりハードディスクの通常ＨＤＤ領域にアクセスし、前記仮想ディスク論理セクタをＨＤＤ物理セクタへ変換して第二のコントローラーによりハードディスクの仮想ディスク領域にアクセスし、第一及び第二のコントローラーによる通常ＨＤＤ領域及び仮想ディスク領域への両アクセスを調停して、通常ＨＤＤ領域と仮想ディスク領域とを混在したハードディスクの構築を可能とすることを特徴とする映像記録装置。
【発明の詳細な説明】
【０００１】
【発明の属する技術分野】
本発明は、映像記録装置であり、特にハードディスクを持つ映像記録装置において、通常のハードディスク領域用のファイルシステムと、ハードディスク内に構築された仮想ディスク領域用のファイルシステムの、２種類のファイルシステムを混在するシステムに関する。
【０００２】
【従来の技術】
従来、デジタルハイビジョン放送やＭＰＥＧ２−ＴＳフォーマットで配信される映像に対し、アナログ変換せず、デジタル信号のまま記録する手段として、ハードディスク記録システムがある。ハードディスクアクセスする場合は、図４に示すようにファイルシステム１１´が論理セクタを設定１２´し、その論理セクタをハードディスクの物理セクタへ変換１４´するマッピングという作業を経て、ハードディスクコントローラー１７´を介してハードディスク３´にアクセスされる。
【０００３】
一方、アナログ映像の記録においては、図６に示すように、ＤＶＤ−Ｒ，ＤＶＤ−ＲＷ，ＤＶＤ−ＲＡＭ５やハードディスク記録があり、ＤＶＤファイルシステム４１´、論理セクタ設定部４２´、アドレス変換部４４´、コントローラー４７´によりＤＶＤ５´に映像記録を行う。またハードディスクを仮想のＤＶＤディスクドライブに見立てて、仮想ディスクを複数枚所持するシステム（図５参照）においては、仮想ディスク用ファイルシステム２１´が仮想ディスク論理セクタを設定２２´し、この論理セクタをハードディスクの物理セクタへ変換２４´するマッピングという作業を経て、ハードディスクコントローラー２７´を介してハードディスク３´にアクセス、つまりハードディスク３´内の仮想ディスクにアクセスされる。
【０００４】
【発明が解決しようとする課題】
従来、デジタルハイビジョン放送やＭＰＥＧ２−ＴＳフォーマットで配信される映像に対し、アナログ変換せず、デジタル信号のまま記録できる手段はハードディスク記録かＤ−ＶＨＳ記録しか無かった。また、上記デジタルハイビジョン放送やＭＰＥＧ２−ＴＳと、通常のアナログ信号とを１台の機器で記録可能とした場合、アナログ信号はＭＰＥＧ２−ＰＳフォーマットに変換され記録される為、ＭＰＥＧ２−ＴＳ用ハードディスクとＭＰＥＧ２−ＰＳ用のハードディスク或いはＤＶＤが必要となり、計２台のドライブが必要であった。しかし１台の機器に実際のドライブを複数個搭載することは、サイズ的にもコスト的にも不利にしかならず、実用的でなかった。
【０００５】
本発明の目的は、一つのハードディスク内に通常のハードディスク領域と仮想ディスク領域の混在するシステムを作成し、多様な入力映像フォーマットに対応可能な映像記録装置を提供することである。
【０００６】
【課題を解決するための手段】
上記目的を達成する為、本発明は、映像信号を記録するハードディスクを持つ映像記録装置において、ＨＤＤファイルシステム及び仮想ディスクファイルシステムを備え、ＨＤＤ論理セクタ及び仮想ディスク論理セクタをそれぞれ設定し、前記ＨＤＤ論理セクタ及びＨＤＤ論理セクタへ変換した前記仮想ディスク論理セクタをＨＤＤ物理セクタへ変換して前記ハードディスクにそれぞれアクセスし、通常ＨＤＤ領域と仮想ディスク領域とを混在したハードディスクの構築を可能とする映像記録装置である。
【０００７】
これにより、仮想ディスク領域アクセス時に、仮想ディスク論理セクタを一旦ハードディスク論理セクタに変換することにより、ハードディスク物理セクタへの変換を含むハードディスクアクセスまでの経路がハードディスクアクセス経路と共用できる為、少ない変更で通常ハードディスク領域と仮想ディスク領域との混在が可能となる。
【０００８】
また、本発明は、映像信号を記録するハードディスクを持つ映像記録装置において、ＨＤＤファイルシステム及び仮想ディスクファイルシステムを備え、ＨＤＤ論理セクタ及び仮想ディスク論理セクタをそれぞれ設定し、前記ＨＤＤ論理セクタをＨＤＤ物理セクタへ変換してハードディスクの通常ＨＤＤ領域にアクセスし、前記仮想ディスク論理セクタをＨＤＤ物理セクタへ変換してハードディスクの仮想ディスク領域にアクセスし、ハードディスクの通常ＨＤＤ領域及び仮想ディスク領域への両アクセスを調停して、通常ＨＤＤ領域と仮想ディスク領域とを混在したハードディスクの構築を可能とする映像記録装置である。
【０００９】
そして、本発明は、バッファを有する映像記録装置である。
【００１０】
各々のファイルシステムがそれぞれハードディスク物理セクタへアドレス変換した後、“ハードディスク／仮想ディスク調停回路”を経由してハードディスクにアクセスすることにより、両ファイルシステムからの同時アクセスを回避することで、通常ハードディスク領域と仮想ディスク領域との混在が可能となる。
【００１１】
更に、本発明は、映像信号を記録するハードディスクを持つ映像記録装置において、ＨＤＤファイルシステム及び仮想ディスクファイルシステムと第一及び第二のコントローラーとを備え、ＨＤＤ論理セクタ及び仮想ディスク論理セクタをそれぞれ設定し、前記ＨＤＤ論理セクタをＨＤＤ物理セクタへ変換して第一のＨＤＤコントローラーによりハードディスクの通常ＨＤＤ領域にアクセスし、前記仮想ディスク論理セクタをＨＤＤ物理セクタへ変換して第二のコントローラーによりハードディスクの仮想ディスク領域にアクセスし、第一及び第二のコントローラーによる通常ＨＤＤ領域及び仮想ディスク領域への両アクセスを調停して、通常ＨＤＤ領域と仮想ディスク領域とを混在したハードディスクの構築を可能とする映像記録装置である。
【００１２】
各々のファイルシステムがそれぞれハードディスクコントローラーを所有し、このコントローラーを“ハードディスク／仮想ディスク調停回路”が制御することによって、両ファイルシステムからの同時アクセスを回避でき、通常ハードディスク領域と仮想ディスク領域との混在が可能となる。
【００１３】
【発明の実施の形態】
本発明の実施の形態を説明する。
本発明の映像記録装置の実施例について、図１〜図３を用いて説明する。図１は、実施例１の映像記録装置のシステム構成ブロック図である。図２は、実施例２の映像記録装置のシステム構成ブロック図である。図３は、実施例３の映像記録装置のシステム構成ブロック図である。
【００１４】
本発明は、１つのハードディスクを通常のハードディスク領域と仮想ディスク領域とを混在させる映像記録装置である。従って、ファイルシステムはハードディスク用と仮想ディスク用とを併せ持つ構成が基本となる。
【００１５】
実施例１を説明する。図１に本発明の第１の実施例のシステム構成ブロック図を示す。本実施例の映像記録装置は、ＨＤＤファイルシステム１１、ＨＤＤ論理セクタ設定部１２、アドレス変換部１４、２３、ＨＤＤコントローラー１７、仮想ディスクファイルシステム２１、仮想ディスク論理セクタ設定部２２、ハードディスク３を備えている。通常のハードディスク領域へアクセスする場合を順に説明する。ハードディスク用ファイルシステム１１が論理セクタを設定１２し、その論理セクタをハードディスク３の物理セクタへ変換１４するマッピングという作業を経て、ハードディスクコントローラー１７を経由してハードディスク３にアクセスする。
【００１６】
一方、仮想ディスク領域へアクセスする場合を説明する。まず仮想ディスク用ファイルシステム２１が仮想ディスク論理セクタを設定２２する。そして本実施例の特徴である“仮想ディスク論理セクタを一旦ハードディスク論理セクタへ変換（マッピング）”２３をする。この実施例により、その後の処理は通常のハードディスク領域アクセス経路を利用し、ハードディスク論理セクタをハードディスク物理セクタへ変換（マッピング）１４し、ハードディスクコントローラー１７を経由して仮想ディスク領域にアクセスすることが出来る。
【００１７】
これにより、１台のハードディスク３内に通常のハードディスク領域と仮想ディスク領域とを混在させるシステムが可能となる。
【００１８】
実施例２を説明する。図２に本発明の第２の実施例のシステム構成ブロック図を示す。本実施例の映像木楼装置は、ＨＤＤファイルシステム１１、ＨＤＤ論理セクタ設定部１２、アドレス変換部１４、２４、ＨＤＤ／仮想ディスク調停部１５、バッファ（ＢＵＦＦＥＲ）１６、ＨＤＤコントローラー１７、仮想ディスクファイルシステム２１、仮想ディスク論理セクタ設定部２２、ハードディスク３を備えている。通常のハードディスク領域へアクセスする場合を順に説明する。
まずハードディスク用ファイルシステム１１が論理セクタを設定１２し、その論理セクタをハードディスクの物理セクタへ変換１４するマッピングという作業を経て、本実施例の特徴であるハードディスク／仮想ディスクアクセス調停回路１５に達する。ここでは通常のハードディスク側と仮想ディスク側とが万一同時にアクセス命令が来てしまった場合に、どちらを優先して実行するかを判断・実行する回路である。ここで通常のハードディスク領域へのアクセスに問題が無いと判断された後、ハードディスクコントローラー１７を介してハードディスク３にアクセスされる。もしハードディスク／仮想ディスクアクセス調停回路１５にて通常のハードディスク領域への即時アクセスが認められなかった場合、該調停回路１５は、（ａ）ハードディスクファイルシステム側の命令を一時的にＢＵＦＦＥＲ１６に保存し、実行可能になったら実行する、（ｂ）ハードディスクファイルシステム１１側の命令を失敗したとしてｒｅｔｕｒｎする、のいずれかの手段をとる事が出来る。
【００１９】
また、仮想ディスク領域へアクセスする場合を順に説明する。まず仮想ディスク用ファイルシステム２１が論理セクタを設定２２し、その論理セクタをハードディスクの物理セクタへ変換２４するマッピングという作業を経て、本実施例の特徴であるハードディスク／仮想ディスクアクセス調停回路１５に達する。ここでは通常のハードディスク側と仮想ディスク側とが万一同時にアクセス命令が来てしまった場合に、どちらを優先して実行するかを判断・実行する回路である。
ここで仮想ディスク領域へのアクセスに問題が無いと判断された後、ハードディスクコントローラー１７を介してハードディスク３にアクセスされる。もしハードディスク／仮想ディスクアクセス調停回路１５にて仮想ディスク領域への即時アクセスが認められなかった場合、該調停回路１５は、（１）仮想ディスクファイルシステム２１側の命令を一時的にＢＵＦＦＥＲ１６に保存し、実行可能になったら実行する。（２）仮想ディスクファイルシステム２１側の命令を失敗したとしてｒｅｔｕｒｎする、のいずれかの手段をとる事が出来る。
【００２０】
これにより、１台のハードディスク３内に通常のハードディスク領域と仮想ディスク領域とを混在させるシステムが可能となる。
【００２１】
次に、実施例３を説明する。図３に本発明の第３の実施例のシステム構成ブロック図を示す。本実施例の映像記録装置は、ＨＤＤファイルシステム１１、ＨＤＤ論理セクタ設定部１２、アドレス変換部１４、２４、ＨＤＤコントローラー１７、２７、ＨＤＤ／仮想ディスク調停部１８、仮想ディスクファイルシステム２１、仮想ディスク論理セクタ設定部２２、ハードディスク３を備えている。通常のハードディスク領域へアクセスする場合を順に説明する。ハードディスク用ファイルシステム１１が論理セクタを設定１２し、その論理セクタをハードディスクの物理セクタへ変換１４するマッピングという作業を経て、ハードディスクコントローラーａ１７を経由してハードディスク３にアクセスする。
【００２２】
こんどは仮想ディスク領域へアクセスする場合を順に説明する。仮想ディスク用ファイルシステム２１が論理セクタを設定２２し、その論理セクタをハードディスクの物理セクタへ変換２４するマッピングという作業を経て、ハードディスクコントローラーｂ２７を経由して仮想ディスクにアクセスする。
【００２３】
この時、ハードディスクコントローラーａ１７とｂ２７は本実施例の特徴である“ハードディスク／仮想ディスク調停回路”１８に制御される。該“ハードディスク／仮想ディスク調停回路”１８は常にハードディスクコントローラーａ１７とｂ２７を監視し、片方のハードディスクコントローラーが動作中（ハードディスクアクセス中）の場合はもう片方のハードディスクコントローラーが動作しないように制御する。
【００２４】
これにより、１台のハードディスク３内に通常のハードディスク領域と仮想ディスク領域とを混在させるシステムが可能となる。
【００２５】
以上実施例で説明したように、本発明によれば、通常のハードディスク領域用のファイルシステムと、ハードディスク内に構築された仮想ディスク領域用のファイルシステムの、２種類のファイルシステムを持つシステムにおいて、
・仮想ディスク領域アクセス時に、仮想ディスク論理セクタを一旦ハードディスク論理セクタに変換することにより、ハードディスク物理セクタへの変換を含むハードディスクアクセスまでの経路がハードディスクアクセス経路と共用できる為、少ない変更で通常ハードディスク領域と仮想ディスク領域との混在が可能となる。
・各々のファイルシステムがそれぞれハードディスク物理セクタへアドレス変換した後、“ハードディスク／仮想ディスク調停回路”を経由してハードディスクにアクセスすることにより、両ファイルシステムからの同時アクセスを回避することで、通常ハードディスク領域と仮想ディスク領域との混在が可能となる。
・各々のファイルシステムがそれぞれハードディスクコントローラーを所有し、このコントローラーを“ハードディスク／仮想ディスク調停回路”が制御することによって、両ファイルシステムからの同時アクセスを回避でき、通常ハードディスク領域と仮想ディスク領域との混在が可能となる。
【００２６】
【発明の効果】
本発明によれば、一つのハードディスク内に通常のハードディスク領域と仮想ディスク領域の混在するシステムを作成し、多様な入力映像フォーマットに対応可能な映像記録装置を得ることができる。
【図面の簡単な説明】
【図１】実施例１の映像記録装置のシステム構成ブロック図。
【図２】実施例２の映像記録装置のシステム構成ブロック図。
【図３】実施例３の映像記録装置のシステム構成ブロック図。
【図４】従来技術１のシステム構成ブロック図。
【図５】従来技術２のシステム構成ブロック図。
【図６】従来技術３のシステム構成ブロック図。
【符号の説明】
１１  ＨＤＤファイルシステム
１２  ＨＤＤ論理セクタ設定部
１４、２３、２４  アドレス変換部
１５、１８  ＨＤＤ／仮想ディスク調停部
１６  バッファ
１７、２７  ＨＤＤコントローラー
２１  仮想ディスクファイルシステム
２２  仮想ディスク論理セクタ設定部
３  ハードディスク
【図１】
2004320349.tif 000003
【図２】
2004320349.tif 000004
【図３】
2004320349.tif 000005
【図４】
2004320349.tif 000006
【図５】
2004320349.tif 000007
【図６】
2004320349.tif 000008